(57)【特許請求の範囲】
【請求項１】
呼出スイッチを有し、前記呼出スイッチによる呼出操作の受付けを検出した場合に事前設定した呼出番号を含む呼出信号を所定の第１通信プロトコルに従って無線送信する複数の送信機と、
必要に応じて設置され、複数の番号表示器を有し、前記送信機から前記第１通信プロトコルの呼出信号を受信した場合に、呼出順に前記呼出番号を前記複数の番号表示器に表示する受信表示機と、
を備えた遠隔呼出システムに於いて、
前記送信機から前記第１通信プロトコルの呼出信号を受信した場合に所定の第２通信プロトコルの呼出信号に変換して伝送路に送信する中継器と、
タッチパネルを備えたディスプレイを有し、前記中継器から前記伝送路を介して前記第２通信プロトコルの呼出信号を受信した場合に、前記呼出信号に含まれる呼出番号を所定数の番号配列窓の中に呼出順に表示した画像を前記自己のディスプレイに表示し、更に前記自己のディスプレイの画像変化を検出した場合にその画像信号を所定の第３通信プロトコルに従って無線送信するコンピュータ装置を用いたメイン表示機と、
タッチパネルを備えたディスプレイを有し、前記メイン表示機から前記第３通信プロトコルの画像信号を受信して前記メイン表示器のディスプレイの表示画像と同じ内容の画像を表示するタブレット端末及び又は携帯電話器を用いたサブ表示機と、を設けたことを特徴とする呼出システム。
【請求項２】
請求項１記載の遠隔呼出システムに於いて、
前記メイン表示機は、前記自己のタッチパネルにより、前記自己のディスプレイに表示している前記番号配列窓の中の何れかの呼出番号を選択する呼出対応操作の受付けを検出した場合、前記番号配列窓から前記呼出対応操作により選択した呼出番号を消去すると共
に当該呼出番号を含む消去信号を前記第２通信プロトコルに従って前記伝送路に送信し、更に、前記自己のディスプレイに表示している所定数の対応端末配列窓の中の自己の割当窓に前記呼出対応操作により選択した呼出番号を表示し、
前記中継器は、前記メイン表示機から前記伝送路を介して前記第２通信プロトコルの消去信号を受信した場合に前記第１通信プロトコルの消去信号に変換して無線送信し、
前記受信表示機は、前記中継器から前記第１通信プロトコルの消去信号を受信した場合に、対応する自己の番号表示器の呼出番号を消去すると共に空き位置を詰めるように残りの番号表示をシフトし、更に、最後の空き位置の番号表示器に残数表示している中の最も古い呼出番号を表示することを特徴とする遠隔呼出システム。
【請求項３】
請求項１記載の遠隔呼出システムに於いて、
前記サブ表示機は、前記自己のタッチパネルにより、前記自己のディスプレイに表示している番号配列窓の中の何れかの呼出番号を選択する呼出対応操作の受付けを検出した場合、前記番号配列窓から前記呼出対応操作により選択した呼出番号を消去して空き位置を
詰めるように残りの番号表示をシフトすると共に当該呼出番号を含む消去信号を前記第３通信プロトコルに従って無線送信し、更に、前記ディスプレイに表示している所定数の対応端末配列窓の中の自己の割当窓に前記呼出対応操作により選択した呼出番号を表示し、
前記メイン表示機は、前記サブ表示機から前記第３通信プロトコルの消去信号を受信した場合、前記消去信号に含まれる呼出番号を前記番号配列窓から消去すると共に当該呼出番号を含む消去信号を前記第２通信プロトコルに従って前記伝送路に送信し、更に、前記自己のディスプレイに表示している前記対応端末配列窓の中の前記サブ表示機の割当窓に
前記消去信号に含まれる呼出番号を表示し、
前記中継器は、前記メイン表示機から前記伝送路を介して前記第２通信プロトコルの消去信号を受信した場合に前記第１通信プロトコルの消去信号に変換して無線送信し、
前記受信表示機は、前記中継器から前記第１通信プロトコルの消去信号を受信した場合に、対応する自己の番号表示器の呼出番号を消去すると共に空き位置を詰めるように残り
の番号表示をシフトし、更に、最後の空き位置の番号表示器に残数表示している中の最も古い呼出番号を表示することを特徴とする遠隔呼出システム。
【請求項４】
請求項１記載の遠隔呼出システムに於いて、前記メイン表示機は、前記送信機の呼出操作に基づく呼出信号を受信した場合、当該呼出信号に含まれる呼出番号を事前設定した所定の呼出名称に変換して前記ディスプレイに表示している番号配列窓の中に表示することを特徴とする遠隔呼出システム。
【請求項５】
請求項１記載の遠隔呼出システムに於いて、更に、
消去スイッチと番号表示器を備え、前記送信機から前記第１通信プロトコルの呼出信号を受信して少なくとも最も古い呼出番号を自己の前記番号表示器に表示し、前記消去スイッチによる消去操作の受付けを検出した場合に、前記自己の番号表示器の呼出番号を含む消去信号を前記第１通信プロトコルに従って無線送信すると共に、前記自己の番号表示器に次に古い呼出番号を切替表示する消去機を設け、
前記受信表示機は、前記消去機から前記第１通信プロトコルの消去信号を受信した場合
に、対応する前記自己の番号表示器の呼出番号を消去すると共に空き位置を詰めるように残りの番号表示をシフトし、更に、最後の空き位置の番号表示器に残数表示している中の最も古い呼出番号を表示し、
前記中継器は、前記消去機から前記第１通信プロトコルの消去信号を受信した場合に所定の第２通信プロトコルの消去信号に変換して伝送路に送信し、
前記メイン表示機は、前記中継器から前記伝送路を介して前記第２通信プロトコルの消去信号を受信した場合に、前記消去信号に含まれる呼出番号を前記ディスプレイに表示している前記番号配列窓の中から消去することを特徴とする遠隔呼出システム。
【発明の詳細な説明】
【技術分野】
【０００１】
本発明は、レストランなどの店舗や工場生産ライン等での呼出を遠隔的に表示して対応可能とする遠隔呼出システムに関する。
【背景技術】
【０００２】
従来、この種の遠隔呼出システムにあっては、例えば店舗用を例にとると、テーブル、カウンタ、個室ごとに送信機を設置すると共に、受信表示機を厨房に注文を伝えて料理を受け取る場所となるデシャップ（Ｄｉｓｈ  Ｕｐ）などに設置し、送信機の押釦操作により呼出信号を受信表示機に送信してチャイム音を出すと共に番号表示器に呼出番号を呼出順に表示しており、店舗スタッフは受信機表示機に表示している最も古い呼出し番号を確認し、呼出しのあったテーブル等に出向いてオーダーをとったり、会計処理等のサービスを行うようにしている。
【０００３】
また、受信表示機の近くには携帯型の消去機を置いており、呼出番号を確認してオーダー等の対応をとる場合に、消去機に表示している対応する呼出番号の消去操作を行うと、消去信号を受信表示機に送信して対応する呼出番号の表示を消去するようにしている。
【先行技術文献】
【特許文献】
【０００４】
【特許文献１】特許第３４２３９４３号公報
【特許文献２】実用新案登録第３１１０７７３号公報
【発明の概要】
【発明が解決しようとする課題】
【０００５】
しかしながら、このような従来の店舗用の遠隔呼出システムにあっては、受信表示機の呼出受信に伴う呼出番号の表示に対し、店舗スタッフはデシャップに出向いて受信表示機の呼出番号を確認して対応する必要があり、店舗が広い場合や混雑しているような場合には、デシャップに戻って呼出番号を確認したり、消去機により対応する呼出番号を消去するのに手間と時間がかかる問題がある。
【０００６】
この問題を解決するためには、受信表示機を複数台設置したり、消去機の台数を増やすことで、店舗スタッフがどこにいても呼出番号の確認や消去が可能となるが、受信表示機の増設や消去機の追加に伴いシステムコストが大幅に増加し、このような対応は現実的ではないという問題がある。
【０００７】
本発明は、受信表示機の増設や消去機の追加を必要とすることなく、店舗や生産ライン等の利用場所のどこにいても呼出番号の確認による適切な対応を可能とする遠隔呼出システムを提供することを目的とする。
【課題を解決するための手段】
【０００８】
（遠隔呼出システム）
本発明は、呼出スイッチを有し、呼出スイッチによる呼出操作の受付けを検出した場合に事前設定した呼出番号を含む呼出信号を所定の第１通信プロトコルに従って無線送信する複数の送信機と、
必要に応じて設置され、複数の番号表示器を有し、送信機から第１通信プロトコルの呼出信号を受信した場合に、呼出順に呼出番号を複数の番号表示器に表示する受信表示機と、
を備えた遠隔呼出システムに於いて、
送信機から第１通信プロトコルの呼出信号を受信した場合に所定の第２通信プロトコルの呼出信号に変換して伝送路に送信する中継器と、
タッチパネルを備えたディスプレイを有し、中継器から伝送路を介して第２通信プロトコルの呼出信号を受信した場合に、呼出信号に含まれる呼出番号を所定数の番号配列窓の中に呼出順に表示した画像を自己のディスプレイに表示し、更に自己のディスプレイの画像変化を検出した場合にその画像信号を所定の第３通信プロトコルに従って無線送信するコンピュータ装置を用いたメイン表示機と、
タッチパネルを備えたディスプレイを有し、メイン表示機から第３通信プロトコルの画像信号を受信してメイン表示器のディスプレイの表示画像と同じ内容の画像を表示するタブレット端末及び又は携帯電話機を用いたサブ表示機と、
を設けたことを特徴とする。
【０００９】
（メイン表示機による番号消去）
メイン表示機は、自己のタッチパネルにより、自己のディスプレイに表示している番号配列窓の中の何れかの呼出番号を選択する呼出対応操作の受付けを検出した場合、番号配列窓から呼出対応操作により選択した呼出番号を消去すると共に当該呼出番号を含む消去信号を第２通信プロトコルに従って伝送路に送信し、更に、自己のディスプレイに表示している所定数の対応端末配列窓の中の自己の割当窓に呼出対応操作により選択した呼出番号を表示し、
中継器は、メイン表示機から伝送路を介して第２通信プロトコルの消去信号を受信した場合に第１通信プロトコルの消去信号に変換して無線送信し、
受信表示機は、中継器から第１通信プロトコルの消去信号を受信した場合に、対応する番号表示器の呼出番号を消去すると共に空き位置を詰めるように残りの番号表示をシフトし、更に、最後の空き位置の番号表示器に残数表示している中の最も古い呼出番号を表示する。
【００１０】
（サブ表示機による番号消去）
サブ表示機は、自己のタッチパネルにより、自己のディスプレイに表示している番号配列窓の中の何れかの呼出番号を選択する呼出対応操作の受付けを検出した場合、番号配列窓から呼出対応操作により選択した呼出番号を消去して空き位置を詰めるように残りの番号表示をシフトすると共に当該呼出番号を含む消去信号を第３通信プロトコルに従って無線送信し、更に、ディスプレイに表示している所定数の対応端末配列窓の中の自己の割当窓に呼出対応操作により選択した呼出番号を表示し、
メイン表示機は、サブ表示機から第３通信プロトコルの消去信号を受信した場合、消去信号に含まれる呼出番号を番号配列窓から消去すると共に当該呼出番号を含む消去信号を第２通信プロトコルに従って伝送路に送信し、更に、自己のディスプレイに表示している対応端末配列窓の中のサブ表示機の割当窓に消去信号に含まれる呼出番号を表示し、
中継器は、メイン表示機から伝送路を介して第２通信プロトコルの消去信号を受信した場合に第１通信プロトコルの消去信号に変換して無線送信し、
受信表示機は、中継器から第１通信プロトコルの消去信号を受信した場合に、対応する番号表示器の呼出番号を消去すると共に空き位置を詰めるように残りの番号表示をシフトし、更に、最後の空き位置の番号表示器に残数表示している中の最も古い呼出番号を表示する。
【００１１】
（呼出番号の名称表示）
メイン表示機は、送信機の呼出操作に基づく呼出信号を受信した場合、当該呼出信号に含まれる呼出番号を事前設定した所定の呼出名称に変換して自己のディスプレイに表示している番号配列窓の中に表示する。
【００１２】
（消去機による番号消去）
本発明の遠隔呼出システムは、更に、
消去スイッチと番号表示器を備え、送信機から第１通信プロトコルの呼出信号を受信して少なくとも最も古い呼出番号を自己の番号表示器に表示し、消去スイッチによる消去操作の受付けを検出した場合に、自己の番号表示器の呼出番号を含む消去信号を第１通信プロトコルに従って無線送信すると共に、自己の番号表示器に次に古い呼出番号を切替表示する消去機を設け、
受信表示機は、消去機から第１通信プロトコルの消去信号を受信した場合に、対応する自己の番号表示器の呼出番号を消去すると共に空き位置を詰めるように残りの番号表示をシフトし、更に、最後の空き位置の番号表示器に残数表示している中の最も古い呼出番号を表示し、
中継器は、消去機から第１通信プロトコルの消去信号を受信した場合に所定の第２通信
プロトコルの消去信号に変換して伝送路に送信し、
メイン表示機は、中継器から伝送路を介して第２通信プロトコルの消去信号を受信した場合に、消去信号に含まれる呼出番号をディスプレイに表示している番号配列窓の中から消去する。
【発明の効果】
【００１３】
（基本的な効果）
本発明は、送信機と受信表示機を備えた遠隔呼出システムに於いて、送信機から第１通信プロトコルの呼出信号を受信した場合に所定の第２通信プロトコルの呼出信号に変換して伝送路に送信する中継器と、タッチパネルを備えたディスプレイを有し、中継器から伝送路を介して第２通信プロトコルの呼出信号を受信した場合に、呼出信号に含まれる呼出番号を所定数の番号配列窓の中に呼出順に表示した画像を自己のディスプレイに表示し、更に自己のディスプレイの画像変化を検出した場合にその画像信号を所定の第３通信プロトコルに従って無線送信するコンピュータ装置を用いたメイン表示機と、タッチパネルを
備えたディスプレイを有し、メイン表示機から第３通信プロトコルの画像信号を受信してメイン表示器のディスプレイの表示画像と同じ内容の画像を表示するタブレット端末及び又は携帯電話機を用いたサブ表示機とを設けるようにしたため、システム専用機器となる受信表示機を増設することなく、また受信表示機を設けていない場合であっても、パーソナルコンピュータ等で実現されるメイン表示機や携帯電話やタブレット端末で実現されるサブ表示器に、受信表示機と同じ内容の呼出番号を表示し、メイン表示機やサブ表示機を追加的に設けても汎用機器であることがら設備コストの増加を抑制し、受信表示機の設置
場所に制約されることなく、店舗スタッフ等の対応担当者は通信可能エリア内であればどこにいても、呼出番号を確認して迅速且つ適切に対応することを可能とする。
【００１４】
（メイン表示機による番号消去）
また、メイン表示機は、自己のタッチパネルにより、自己のディスプレイに表示している番号配列窓の中の何れかの呼出番号を選択する呼出対応操作の受付けを検出した場合、番号配列窓から呼出対応操作により選択した呼出番号を消去すると共に当該呼出番号を含む消去信号を第２通信プロトコルに従って伝送路に送信し、更に、自己のディスプレイに表示している対応端末配列窓の中の自己の割当窓に呼出対応操作により選択した呼出番号を表示し、中継器は、メイン表示機から伝送路を介して第２通信プロトコルの消去信号を受信した場合に第１通信プロトコルの消去信号に変換して無線送信し、受信表示機は、中
継器から第１通信プロトコルの消去信号を受信した場合に、対応する番号表示器の呼出番号を消去すると共に空き位置を詰めるように残りの番号表示をシフトし、更に、最後の空き位置の番号表示器に残数表示している中の最も古い呼出番号を表示するようにしたため、汎用機器を用いたメイン表示機で呼出番号を選択する呼出対応操作を行うと、これに連動して設備専用機器となる受信表示機で表示している呼出番号の消去を可能とする。
【００１５】
また、メイン表示機で呼出番号を選択する呼出対応操作を行うと、その呼出番号が自己のディスプレイに表示している対応端末配列窓の中の自己の割当窓の中に表示され、この表示はサブ表示機の画面表示にも反映され、サブ表示機の利用者は誰がどの呼出番号を選択して対応しているかをリアルタイムで知ることができ、呼出に対するシステム全体としての動きを適切に把握可能とする。
【００１６】
（サブ表示機による番号消去）
また、サブ表示機は、自己のタッチパネルにより、自己のディスプレイに表示している番号配列窓の中の何れかの呼出番号を選択する呼出対応操作の受付けを検出した場合、番号配列窓から呼出対応操作により選択した呼出番号を消去すると共に当該呼出番号を含む消去信号を第３通信プロトコルに従って無線送信し、更に、ディスプレイに表示している対応端末配列窓の中の自己の割当窓に呼出対応操作により選択した呼出番号を表示し、メイン表示機は、サブ表示機から第３通信プロトコルの消去信号を受信した場合、消去信号に含まれる呼出番号を番号配列窓から消去して空き位置を詰めるように残りの番号表示をシフトすると共に当該呼出番号を含む消去信号を第２通信プロトコルに従って伝送路に送信し、更に、自己のディスプレイに表示している対応端末配列窓の中のサブ表示機の割当窓に消去信号に含まれる呼出番号を表示し、中継器は、メイン表示機から伝送路を介して第２通信プロトコルの消去信号を受信した場合に第１通信プロトコルの消去信号に変換して無線送信し、受信表示機は、中継器から前記第１通信プロトコルの消去信号を受信した場合に、対応する番号表示器の呼出番号を消去すると共に空き位置を詰めるように残りの番号表示をシフトし、更に、最後の空き位置の番号表示器に残数表示している中の最も古
い呼出番号を表示するようにしたため、汎用機器を用いたサブ表示機で呼出番号を選択する呼出対応操作を行うと、これに連動して汎用機器を用いたメイン表示機および設備専用機器となる受信表示機で表示している呼出番号の消去を可能とする。
【００１７】
また、サブ表示機で呼出番号を選択する呼出対応操作を行うと、その呼出番号が自己のディスプレイに表示している対応端末配列窓の中の自己の割当窓の中に表示され、この表示はメイン表示機の画面表示にも反映され、他のサブ表示機やメイン表示機の利用者は誰がどの呼出番号を選択して対応しているかをリアルタイムで知ることができ、呼出に対するシステム全体としての動きを適切に把握可能とする。
【００１８】
（呼出番号の名称表示による効果）
また、メイン表示機は、送信機の呼出操作に基づく呼出信号を受信した場合、当該呼出信号に含まれる呼出番号を事前設定した所定の呼出名称に変換して自己のディスプレイに表示している番号配列窓の中に表示するようにしたため、どこから呼出があったかを抽象的な呼出番号によらず、例えばテーブル、カウンタ、個室名等の具体的な場所として把握することで、呼出しに対する対応を行い易くする。
【００１９】
（消去機による番号消去の効果）
また、本発明の遠隔呼出システムは、更に、消去スイッチと番号表示器を備え、送信機から第１通信プロトコルの呼出信号を受信して少なくとも最も古い呼出番号を自己の番号表示器に表示し、消去スイッチによる消去操作の受付けを検出した場合に、番号表示器の呼出番号を含む消去信号を第１通信プロトコルに従って無線送信すると共に、番号表示器に次に古い呼出番号を切替表示する消去機を設け、受信表示機は、消去機から第１通信プロトコルの消去信号を受信した場合に、対応する番号表示器の呼出番号を消去すると共に空き位置を詰めるように残りの番号表示をシフトし、更に、最後の空き位置の番号表示器
に残数表示している中の最も古い呼出番号を表示し、中継器は、消去機から第１通信プロトコルの消去信号を受信した場合に所定の第２通信プロトコルの消去信号に変換して伝送路に送信し、メイン表示機は、中継器から伝送路を介して第２通信プロトコルの消去信号を受信した場合に、消去信号に含まれる呼出番号をディスプレイに表示している番号配列窓の中から消去するようにしたため、汎用機器を用いたメイン表示機及びサブ表示機についても、システム専用機器として準備した消去機の消去操作に連動して、対応する呼出番号の表示を消去可能とする。
【図面の簡単な説明】
【００２０】
【図１】本発明による遠隔呼出システムの概略を示した説明図
【図２】図１の遠隔呼出システムの機能構成を示したブロック図
【図３】メイン表示機の呼出画面を示した説明図
【図４】携帯電話機の呼出画面を示した説明図
【図５】送信機の呼出操作による呼出とメイン表示機のタップ操作による呼出対応の処理動作を示したタイムチャート
【図６】送信機の呼出操作による呼出とサブ表示機のタップ操作による呼出対応の処理動作を示したタイムチャート
【図７】送信機の呼出操作による呼出と消去機の消去操作による呼出対応の処理動作を示したタイムチャート
【図８】呼出名称を表示するメイン表示機の表示画面を示した説明図
【発明を実施するための形態】
【００２１】
［遠隔呼出システムの概要］
図１は本発明による遠隔呼出システムの概略を示した説明図、図２は図１の遠隔呼出システムの機能構成を示したブロック図であり、例えば店舗に設置した場合を例とると次のようになる。
【００２２】
本実施形態の遠隔呼出システムを設置する店舗は、例えば厨房及びデシャップを含む業務処理スペースとテーブル、カウンタ、個室等を含む顧客スペースから構成されている。
【００２３】
図１に示すように、本実施形態の遠隔呼出システムは、送信機１０、受信表示機１２、消去機１４、中継器１６、メイン表示機２０、タブレット２２、携帯電話機２４及び無線ＬＡＮのアクセスポイント２５を備えている。この内、送信機１０、受信表示機１２、消去機１４は専用機器を用いたシステム部分であり、これに対しメイン表示機２０、タブレット２２、携帯電話機２４及びアクセスポイント２５は汎用機器を利用したシステム部分であり、両者の間を中継器１６により繋いでいる。また、タブレット２２及び携帯電話機２４は、メイン表示機２０に対するサブ表示機として機能する。
【００２４】
ここで、システム専用機器となる受信表示機１２は、それと同等の表示機能が汎用機器を用いたメイン表示機２０で実現できることから、受信表示機１２を設置しないシステム構成を必要に応じてとることができる。なお、以下の実施形態は、受信表示機１２を設けた場合を例にとっている。
【００２５】
［送信機の構成］
図１に示す送信機１０は、テーブル、カウンタ、個室等の利用場所毎に設置しており、呼出スイッチ１５を押すと事前設定した所定の呼出番号及び設置場所に応じて事前設定した表示色情報を含む呼出信号を無線送信する。設置場所の表示色情報は、例えばテーブルは赤、個室は黄、カウンタは緑とする。
【００２６】
送信機１０の機能構成は、図２に示すように、呼出スイッチ１５、制御部４４、アンテナ４８を接続した送信部４６を備える。呼出スイッチ１５は呼出釦の押し込みでオンするスイッチである。制御部４４は呼出スイッチ１５のオンによる呼出操作の受付けを検知すると、ディップスイッチ等により事前設定した呼出番号及び表示色情報を含む呼出信号を生成し、送信部４６に指示して所定の第１通信プロトコルに従って無線送信させる制御を行う。
【００２７】
ここで、呼出信号は、呼出コマンド、呼出番号、及び表示色情報を含む信号形式とする。また、送信部４６による第１通信プロトコルとしては、例えば４２６ＭＨｚ帯を使用した特定小電力無線局の標準規格を準拠した通信プロトコルとする。以下の説明は第１通信プロトコルを特定小電力通信プロトコルとして説明する。
【００２８】
［受信表示機の構成］
図１に示す受信表示機１２は、デシャップ等に設置しており、本実施形態では、番号表示器２６を５台横に並べて配置し、それぞれ８セグメント素子を２つ並べた２桁の数値を表示可能とする。また番号表示器２６における表示色は背光照明色の切替えにより例えば赤、黄又は緑の３色を表示でき、例えばテーブルは赤、個室は黄、カウンタは緑で呼出番号を表示する。また、受信表示機１２には残数表示器２８を設けており、残数表示器２８は８セグメント素子を２つ並べた２桁の数値表示を行う。
【００２９】
図２に示すように、受信表示機１２は、制御部５０、アンテナ５４を接続した通信部５２、表示部５６、音響報知部５８及び操作部６０からなる機能構成を備える。制御部５０は例えばプログラムの実行により実現される機能であり、ハードウェアとしてはＣＰＵ、メモリ、各種の入出力ポート等を備えたコンピュータ回路等を使用する。
【００３０】
通信部５２は特定小電力通信プロトコルに従って信号を送受信する。表示部５６は図１に示した番号表示器２６及び残数表示器２８を備える。音響報知部５８はチャイム音等をスピーカから出力する。操作部６０は表示部５６の明るさ調整スイッチや音響報知部５８の音量調整スイッチ等を備える。
【００３１】
制御部５０は、通信部５２を介して送信機１０から特定小電力通信プロトコルの呼出信号を受信した場合、呼出信号に含まれる呼出番号を番号表示器２６に呼出順に表示し（古い順に左から右に並べて表示）、また、呼出信号に含まれる表示色情報に基づき番号表示器２６における表示色を赤、黄又は緑の何れかを選択して表示する制御を行う。
【００３２】
また、制御部５０は、５台の番号表示器２６が全て表示状態となって番号表示がオーバーフローした場合、オーバーフローした呼出番号の残数を残数表示器２８に数値表示する制御を行う。
【００３３】
また、制御部５０は、番号表示器２６に表示した呼出番号ついてタイマにより表示時間を監視しており、例えば１分を経過すると番号が低速にフリッカし、さらに２分を経過すると高速にフリッカする制御を行う。
【００３４】
また、制御部５０は通信部５２を介して消去機１４から例えば左端の番号表示器２６に表示している最も古い呼出番号「１１」の消去を指定した第１通信プロトコルの消去信号を受信した場合、左端の番号表示器２６に表示している呼出番号「１１」を消去し、空き位置を詰めるように残りの番号表示を左側にシフトし、更に、右端となる最後の空き位置の番号表示器２６に残数表示している中の最も古い呼出番号を表示する制御を行う。
【００３５】
［消去機の構成］
図１に示す消去機１４は携帯可能な機器であり、デシャップに置くか、必要に応じて店舗スタッフが携帯する。消去機１４には２つの番号表示器３２とそれぞれに対応して消去スイッチ３０を設けている。
【００３６】
図２に示すように、消去機１４は、制御部６１、アンテナ６３を接続した通信部６２、表示部６４及び消去スイッチ３０からなる機能構成を備える。制御部６１は例えばプログラムの実行により実現される機能であり、ハードウェアとしてはＣＰＵ、メモリ、各種の入出力ポート等を備えたコンピュータ回路等を使用する。通信部６２は特定小電力通信プロトコルに従って信号を送受信する。表示部６４は図１に示したように２台の番号表示器３２を備える。
【００３７】
制御部６１は、通信部６２を介して特定小電力通信プロトコルの呼出信号を受信した場合に、２台の番号表示器３２に最も古い呼出番号と次に古い呼出番号を表示する制御を行う。
【００３８】
ここで、店舗スタッフは図１に示した受信表示機１２の左端の番号表示器２６に表示している呼出番号「１１」からテーブル１１番の呼出しを確認してオーダー等の対応に出向く場合に、消去機１４の左側の消去スイッチ３０を操作することで、対応先の呼出番号「１１」を消去する。
【００３９】
このため制御部６１は、左側の消去スイッチ３０による消去操作の受付けを検出した場合、消去コマンドと呼出番号「１１」を含む消去信号を生成し、これを通信部６２に指示して特定小電力通信プロトコルに従って無線送信させる制御を行う。
【００４０】
受信表示機１２は、消去機１４からの消去信号を受信すると、左端の番号表示器２６に表示している呼出番号「１１」を消去し、空き位置を詰めるように残りの番号表示を左側にシフトし、更に、右端となる最後の空き位置の番号表示器２６に残数表示している中の最も古い呼出番号を表示する。
【００４１】
［中継器の構成］
図１に示すように、中継器１６は、送信機１０、受信表示機１２及び消去機１４を設けた専用機器を用いたシステム部分と、メイン表示機２０、タブレット２２，携帯電話機２４及びアクセスポイント２５を設けた汎用機器を用いたシステム部分との間を繋ぐ信号変換を行う。中継器１６を接続した伝送路１８は、例えばローカルエリアネットワーク（ＬＡＮ）に設けたＬＡＮ回線とする。
【００４２】
図２に示すように、中継器１６は、制御部６５、アンテナ６７を接続した通信部６６、及び伝送路１８に接続した通信部６８からなる機能構成を備える。制御部６５は、例えばプログラムの実行により実現される機能であり、ハードウェアとしてはＣＰＵ、メモリ、各種の入出力ポート等を備えたコンピュータ回路等を使用する。
【００４３】
通信部６６は特定小電力通信プロトコルに従った信号を送受信する。通信部６８は、所定の第２通信プロトコル、例えばＴＣＰ／ＩＰ（トランスミッション  コントロール  プロトコル／インターネット  プロトコル）に従った信号を送受信する。以下、第２通信プロトコルをＴＣＰ／ＩＰとして説明する。
【００４４】
制御部６５は、通信部６６を介して送信機１０又は消去機１４から特定小電力通信プロトコルの呼出信号又は消去信号を受信した場合、ＴＣＰ／ＩＰの呼出信号又は消去信号に変換して伝送路１８を介してメイン表示機２０に送信する。
【００４５】
また制御部６５は、通信部６８を介してメイン表示機２０からＴＣＰ／ＩＰの信号を受信した場合に特定小電力通信プロトコルの信号に変換して無線送信する。
【００４６】
ここでＴＣＰ／ＩＰにあっては、制御部６５は送信機１０から受信した特定小電力通信プロトコルの呼出信号に基づき、トランスポート層（ＴＰＣ層）の処理により中継器自身の発信元ポート番号、メイン表示機２０の制御部を指定する送信先ポート番号を含むヘッダ部と、呼出コマンド、呼出番号及び表示色情報を含むデータ部からなるパケット信号を生成し、続いて、インターネット層（ＩＰ層）の処理により、中継器１８自身の発信元ＩＰアドレスとメイン表示機２０の送信先ＩＰアドレスを含むプロトコルヘッダを配置し、これをＴＣＰ／ＩＰにより変換した呼出信号として通信部６８に指示し、伝送路１８を介してメイン表示機２０に送信する制御を行う。
【００４７】
また、制御部６５は、送信機１０から受信した特定小電力通信プロトコルの消去信号に基づき、トランスポート層（ＴＰＣ層）の処理により中継器自身の発信元ポート番号、メイン表示機２０の制御部を指定する送信先ポート番号を含むヘッダ部と、消去コマンド及び呼出番号を含むデータ部からなるパケット信号を生成し、続いて、インターネット層（ＩＰ層）の処理により、中継器１８自身の発信元ＩＰアドレスとメイン表示機２０の送信先ＩＰアドレスを含むプロトコルヘッダを配置し、これをＴＣＰ／ＩＰにより変換した消去信号として伝送路１８を介してメイン表示機２０に送信する制御を行う。
【００４８】
また、制御部６５は、通信部６８を介してメイン表示機１８から受信したＴＣＰ／ＩＰのパケット信号を受信した場合、これを逆変換し、そのデータ部から取得したコマンド及び呼出番号に基づき特定小電力通信プロトコルの信号に変換して無線送信する制御を行う。
【００４９】
［メイン表示機］
（メイン表示機の概略）
図１に示すように、メイン表示機２０はタッチパネル付きのディスプレイ３４を備えたマイクロコンピュータ等の汎用のコンピュータ装置を使用しており、システムの運用状態で、ディスプレイ３４の画面上に、番号配列窓３６と対応端末配列窓３８を表示している。
【００５０】
番号配列窓３６は送信機１０からの呼出信号に含まれる呼出番号を、複数の番号配列窓３６の中に左から右に呼出順に並ぶように表示している。即ち、５枚の番号配列窓３６の内の左側の２枚の拡大した窓内に、最も古い呼出番号と次に古い呼出番号を表示し、続いて５枚を古い方の一部の呼出番号が見えるように重ねた小さい窓内に表示している。また、呼出番号は、例えばテーブルは赤、個室は黄、カウンタは緑の表示色としている。
【００５１】
対応端末配列窓３８は、６枚の窓を横に配列し、メイン表示機２０、タブレット２２及び携帯電話機２４の各々に所定の窓を事前設定により割り当ている。メイン表示機２０、タブレット２２及び携帯電話機２４を利用している店舗スタッフが番号配列窓３６の呼出番号をタップ（呼出し番号に指を触れる操作）することにより選択して消去した場合、応端末配列窓３８の中のメイン表示機２０に割当てた窓に消去した呼出番号を表示し、メイン表示機１０を利用している店舗スタッフが対応中であることを表示する。
【００５２】
（メイン表示機の機能構成）
図２に示すように、メイン表示機２０は、制御部７０、伝送路１８を接続した通信部７２、アンテナ７６を接続した無線ＬＡＮ通信部７４、ディスプレイ３４及びタッチパネル７８からなる機能構成を備え、市販のマイクロコンピュータ等を使用する。
【００５３】
制御部７０は、例えばプログラムの実行により実現される機能であり、ハードウェアとしてはＣＰＵ、メモリ、各種の入出力ポート等を備えたコンピュータ回路等を使用する。
通信部７２はＴＣＰ／ＩＰに従った信号を、伝送路１８を介して中継器１８との間で送受信する。
【００５４】
無線ＬＡＮ通信部７４は、所定の第３通信プロトコル、例えばイーサネット（登録商標）による無線ネットワークをベースにしたＩＥＥＥ８０２．１１に準拠した無線ＬＡＮ通信プロトコルに従ってタブレット２２との間はアクセスポイント１５を経由した通信接続を確立してパケット信号を送受信し、また、携帯電話２４はアクセスポイント機能を備えたものを使用することで、直接に通信接続を確立してパケット信号を送受信する。
【００５５】
ディスプレイ３４は例えば液晶カラーディスプレイであり、また、タッチパネル７８はディスプレイ３４の画面上に配置しており、店舗スタッフのタップによる各種の操作入力を受け付ける。
【００５６】
（メイン表示機の表示画面）
図３はメイン表示機の呼出画面を示した説明図である。図３に示すように、メイン表示機２０のディスプレイ３４に表示した番号配列窓３６は、窓１０２ａ〜１０２ｇの７枚を古い順に左から右に向けて横に並べており、左側の２枚の拡大した窓１０２ａ，１０２ｂに、最も古い呼出番号「１１」と次に古い呼出番号「５」を表示し、続いて縮小した窓１０２ｃ〜１０２ｅに呼出番号「２９」、「１８」、「７」が見えるように重ねて表示し、残りの窓１０２ｆ，１０２ｇは呼出番号は見えないように重ねて表示している。
【００５７】
また呼出番号を表示した窓１０２ａ〜１０ｅの各々の右下には、呼出信号を受信してからの待ち時間を、例えば窓１０２ａでは「７分前」というように表示している。更に、番号配列窓３６の右側の空きスペースには、残数表示部１１０として例えば「待ち９件」を表示している。
【００５８】
また、番号配列窓３６の下には対応端末配列窓３８を表示している。対応端末配列窓３８は、６枚の窓１０４ａ〜１０４ｆを横に配列し、メイン表示機２０、タブレット２２及び携帯電話機２４の各々に所定の窓を事前設定により割り当てている。例えば窓１０４ａ，１０４ｂは店舗スタッフ○○が保有する携帯電話機２４に「○○ケータイ」の表示により割当て、窓１０４ｃ，１０４ｄはメイン表示機２０に「本機」の表示に割当て、窓１０４ｅ，１０４ｆｂは店舗スタッフ△△が保有する携帯電話機２４に「△△ケータイ」の表示により割当てている。なお、タブレット２２に割り当てた窓は画面外にあり、対応端末配列窓３８を指先でスライド操作すると表れる。
【００５９】
このメイン表示機２０の呼出画面の使い方は次のようになる。店舗スタッフは、ディスプレイ３４の番号配列窓３６の表示から左端の窓１０２ａに表示している最も古い呼出番号「１１」を確認してオーダー等を取りに行く場合、窓１０２ａを指でタップすると、呼出番号「１１」が消え、その下の対応端末配列窓３８の「本機」と表示している例えば窓１０４ｃに呼出番号「１１」が表示され、メイン表示機２０を利用している店舗スタッフが対応していることを表示する。
【００６０】
（メイン表示機の制御機能）
再び、図２を参照するに、制御部７０は、通信部７２を介して中継器１６からＴＣＰ／ＩＰの呼出信号を受信した場合に、ディスプレイ３４に画面表示している番号配列窓３６の中に、呼出信号に含まれる呼出番号を呼出順に表示する制御を行う。また制御部７０は、呼出信号に含まれる表示色情報に基づき番号配列窓３６における番号表示色を赤、黄又は緑の何れかにより表示する制御を行う。
【００６１】
また、制御部７０は、通信部７２を介して中継器１６からＴＣＰ／ＩＰの消去信号、即ち、消去機１４の消去操作に基づく消去信号を受信した場合に、この消去信号に含まれる呼出番号をディスプレイ３４に表示している番号配列窓の中から消去する制御を行う。
【００６２】
また、制御部７０は、ディスプレイ３４に表示している番号配列窓３６の中の何れかの呼出番号を選択するタッチパネル７８のタップによる呼出対応操作の受付けを検出した場合、番号配列窓３６から呼出対応操作により選択した呼出番号を消去して左詰めにシフトすると共に、消去した呼出番号を含む消去信号をＴＣＰ／ＩＰに従って伝送路１８に送信し、更に、ディスプレイ３４に表示している対応端末配列窓３８の中の自己の割当窓に呼出対応操作により選択した呼出番号を表示する制御を行う。
【００６３】
この制御部７０による制御を、図３を参照して説明すると次のようになる。店舗スタッフがメイン表示機２０のディスプレイ３４に表示している番号配列窓３６の中の左端の窓１０２ａに表示している最も古い呼出番号「１１」を確認してオーダー等を取りに行く場合、ディスプレイ３４の呼出番号「１１」の画面を指でタップすると、制御部７０は、このタップによる呼出対応操作の受付けを検出し、窓１０２ａから呼出対応操作により選択した呼出番号「１１」を消去し、左端の空窓１０２ａを詰めるように残りの窓１０２ｂ〜１０２ｅの番号表示を左側にシフトし、更に、空きとなった窓１０２ｅに呼出番号「７」
の次に古い呼出番号を表示する制御を行う。
【００６４】
また、制御部７０は、番号配列窓３６の窓１０２ａから呼出番号「１１」を消去した場合、対応端末配列窓３８の自己の割当窓、例えば「本機」と表示している窓１０４ｃの中に、消去した呼出番号「１１」を表示し、現在誰が対応中であるかを表示する制御を行う。
【００６５】
また、制御部７０は、無線ＬＡＮ通信部７４を介してサブ表示機として機能するタブレット２２又は携帯電話機２４から無線ＬＡＮ通信プロトコルの消去信号を受信した場合、この消去信号に含まれる呼出番号を番号配列窓３６から消去して左シフトで詰めると共に、この呼出番号を含む消去信号を生成し、通信部７２に指示してＴＣＰ／ＩＰに従って伝送路１８から中継器１６に送信し、更に、ディスプレイ３４に表示している対応端末配列窓３８の中のタブレット２２又は携帯電話機２４の割当窓に消去した呼出番号を表示する制御を行う。
【００６６】
また、制御部７０は、ディスプレイ３４の画像変化を検出した場合、無線ＬＡＮ通信部７４に指示し、変化した画像を示す画像信号を無線ＬＡＮ通信プロトコルに従ってサブ表示機として機能するタブレット２２及び携帯電話機２４に送信して画面表示を同期させる制御を行う。この制御部７０により画面表示の同期制御は、所定の同期周期で反復するようにしても良い。
【００６７】
［サブ表示機の構成］
（タブレットの構成）
図１に示すタブレット２２はサブ表示機として機能し、メイン表示機２０と同じ画面をタッチパネル付きのディスプレイ４０に表示している。即ち、ディスプレイ４０には番号配列窓３６ａと対応端末配列窓３８ａが表示され、その表示内容は、図３に示したメイン表示機２０の表示内容と同じになっている。
【００６８】
図２に示すように、タブレット２２は、制御部８０、アンテナ８４を接続した無線ＬＡＮ通信部８２、ディスプレイ４０及びタッチパネル８６からなる機能構成を備え、例えば無線ＬＡＮ通信機能を備えた市販品を使用する。
【００６９】
制御部８０は、例えばプログラムの実行により実現される機能であり、ハードウェアとしてはＣＰＵ、メモリ、各種の入出力ポート等を備えたコンピュータ回路等を使用する。
【００７０】
無線ＬＡＮ通信部８２は、イーサネット（登録商標）による無線ネットワークをベースにしたＩＥＥＥ８０２．１１に準拠した無線ＬＡＮ通信プロトコルに従ってメイン表示機２０との間でアクセスポイント２５を経由した通信接続を確立してパケット信号を送受信する。なお、アクセスポイント２５は図示しないゲートウェイ装置に接続しており、外部のインターネットとの接続を可能としている。
【００７１】
ディスプレイ４０は例えば液晶カラーディスプレイであり、また、タッチパネル８６はディスプレイ４０の画面上に配置しており、店舗スタッフのタップによる操作入力を受け付ける。
【００７２】
制御部８０は、無線ＬＡＮ通信部８２を介してメイン表示機２０から無線ＬＡＮ通信プロトコルの画像信号を受信してディスプレイ４０にメイン表示機２０と同じ内容の画像を表示する制御を行う。
【００７３】
また、制御部８０は、ディスプレイ４０に表示している番号配列窓３６ａの中の何れかの呼出番号を選択するタッチパネル８６のタップによる呼出対応操作の受付けを検出した場合、番号配列窓３６ａから呼出対応操作により選択した呼出番号を消去して左詰めにシフトすると共に、消去した呼出番号を含む消去信号を無線ＬＡＮ通信部８２に指示し、無線ＬＡＮ通信プロトコルに従ってメイン表示機２０に送信し、更に、ディスプレイ４０に表示している対応端末配列窓３８ａの中の自己の割当窓に呼出対応操作により選択した呼出番号を表示する制御を行う。
【００７４】
（携帯電話機の構成）
図１に示す携帯電話機２４はサブ表示機として機能し、メイン表示機２０と略同じ画面内容を縦長の画面形状に合せてタッチパネル付きのディスプレイ４２に表示している。即ち、縦長のディスプレイ４２には番号配列窓３６ｂと対応端末配列窓３８ｂを表示し、その表示内容は、図３に示したメイン表示機２０の画面内容の中の主要な部分を取り出した内容となっている。
【００７５】
図２に示すように、携帯電話機２４は、制御部９０、アンテナ９４を接続した無線ＬＡＮ通信部９２、アンテナ９８を接続した携帯電話通信部９６、ディスプレイ４２及びタッチパネル１００からなる機能構成を備え、無線ＬＡＮ通信のアクセスポイント機能を備えたスマートフォン等を使用する。
【００７６】
制御部９０は、プロセッサを構成するＣＰＵ、メモリ、各種入出力インタフェースを備えたＬＳＩで実現され、インストールされたプログラムを実行する。
【００７７】
無線ＬＡＮ通信部９２は、イーサネット（登録商標）による無線ネットワークをベースにしたＩＥＥＥ８０２．１１に準拠した無線通信を行い、メイン表示機２０との間に無線ＬＡＮ回線を確立して信号を送受信する。このため無線ＬＡＮ通信部９２は、無線ＬＡＮのアクセスポイントとして機能する無線ＬＡＮ通信機能、例えばデザリング機能を備えている。
【００７８】
携帯電話通信部９６は、第３世代移動通信システム（３Ｇ）として知られたＷ−ＣＤＭＡにより携帯電話通信を行う。これ以外に、高速移動通信部、ＧＰＳ通信部（全地球測位システム通信部）、カメラ部、ＳＩＭカード、音声入出力部、ＵＳＢ端子部、操作部及びメモリカード等を備える。
【００７９】
制御部９０は、通話接続、メール接続、インターネット接続などの通信接続及び関連する各種の制御を行う。また、制御部９０は、無線ＬＡＮ通信部９２を介してメイン表示機２０から無線ＬＡＮ通信プロトコルの画像信号を受信し、図４に示すように、ディスプレイ４２にメイン表示機２０と基本的に同じ内容の画像を表示する制御を行う。
【００８０】
図４に示す携帯電話機２４のディスプレイ表示画面は、番号配列窓３６ｂと対応端末配列窓３８ｂを、図３のメイン表示機２０のディスプレイ表示画面に同期して表示している。
【００８１】
この場合、メイン表示機２０の横長画面に対し携帯電話機２４は小型の縦長画面になることから、番号配列窓３６ｂは、窓１０６ａ〜１０６ｄの４枚を古い順に左から右上に向けて横に並べ、左側の２枚の窓１０６ａ，１０６ｂに、最も古い呼出番号「１１」と次に古い呼出番号「５」を表示し、続いて窓１０６ｃ，１０６ｄは呼出番号が見えないように重ねて表示している。
【００８２】
また呼出番号を表示した窓１０６ａ，１０６ｂの各々の左下には、呼出信号を受信してからの待ち時間を、例えば窓１０６ａでは「７分前」というように表示している。更に、番号配列窓３６の右下の空きスペースには、残数表示部１０６ｂとして例えば「待ち９件」を表示している。
【００８３】
また、ディスプレイ４２の下には対応端末配列窓３８ｂを表示している。対応端末配列窓３８ｂは、４枚の窓１０８ｃ〜１０８ｆを横に配列し、窓１０８ｃ，１０８ｄはメイン表示機２０に「本機」の表示に割当て、窓１０８ｅ，１０８ｆは店舗スタッフ△△が保有する携帯電話機２４に「△△ケータイ」の表示により割当てている。なお、それ以外の窓１０８ａ，１０８ｂは左側に重ねた状態で隠れており、指によるスライド操作でシフトして表示される。
【００８４】
また、制御部９０は、ディスプレイ４２に表示している番号配列窓３６ｂの中の何れかの呼出番号を選択するタッチパネル１００のタップによる呼出対応操作の受付けを検出した場合、番号配列窓３６ｂから呼出対応操作により選択した呼出番号を消去して左詰めにシフトすると共に、消去した呼出番号を含む消去信号を生成し、無線ＬＡＮ通信部９２に指示して無線ＬＡＮ通信プロトコルに従ってメイン表示機２０に送信し、更に、ディスプレイ４２に表示している対応端末配列窓３８ｂの中の自己の割当窓に呼出対応操作により選択して消去した呼出番号を表示する制御を行う。
【００８５】
［遠隔呼出システムの動作］
（メイン表示機の呼出対応動作）
図５は送信機の呼出操作による呼出とメイン表示機のタップ操作による呼出対応の処理動作を示したタイムチャートであり、図１乃至図３と共に説明する。
【００８６】
図５に示すように、送信機１０によりステップＳ１（以下「ステップ」は省略）で顧客が呼出操作を行ったとすると、送信機１０は特定小電力通信プロトコルに従って呼出信号を無線送信する。送信機１０からの呼出信号は受信表示機１２で受信され、Ｓ２で受信表示機１２の番号表示器２６に呼出順に左詰めで呼出番号を指定された色で表示し、同時にチャイム音により呼出を報知する。なお、番号表示器２６に空きがない場合は、残数表示器２８に１を加算した値を表示する。
【００８７】
また送信機１０からの呼出信号は中継器１６で受信され、ＴＣＰ／ＩＰの呼出信号に変換され、伝送路１８を介してメイン表示機２０に送信される。メイン表示機２０はＳ３で受信した呼出信号の呼出番号をディスプレイ表示画面に表示している番号配列窓３６の最後の空き窓に表示する。なお、空き窓がない場合は、残数表示部１０６の値に１を加算した値とする。
【００８８】
続いてＳ４で表示内容を変更した画像信号をタブレット２２及び携帯電話機２４を含むサブ表示機２１に送信して画像内容を同期させる同期通信を行い、この画像信号をサブ表示機２１はＳ５で受信して同期画面表示を行う。
【００８９】
この状態で、店舗スタッフがメイン表示機２０の番号配列窓３６の最も古い呼出番号を確認してその場所へ出向く場合、その呼出番号をＳ６でタップすると、このタップによる呼出番号対応操作の受付けを検出し、Ｓ７で番号配列窓３６のタップした呼出番号を消去して左詰めシフトすると共に、対応端末配列窓３８の自己の割当窓に、消去した呼出番号を表示して対応中にあることを示し、更に、Ｓ８で呼出番号の消去指示として、ＴＣＰ／ＩＰに従って呼出番号を含む消去信号を、伝送路１８を介して中継器１６に送信し、中継器１６で特定小電力通信プロトコルの消去信号に変換して無線送信する。
【００９０】
この消去信号をＳ９で受信表示機１２が受信すると、番号表示器２６の該当する呼出番号を消去して左詰めにシフト表示する。
【００９１】
また、メイン表示機１０はＳ１０で表示内容を変更した画像信号をサブ表示機２１に送信して画像内容を同期させる同期通信を行い、この画像信号をサブ表示機２１はＳ１１で受信して同期画面表示を行う。
【００９２】
（サブ表示機の呼出対応動作）
図６は送信機の呼出操作による呼出とサブ表示機のタップ操作による呼出対応の処理動作を示したタイムチャートであり、図１乃至図４と共に説明する。
【００９３】
図６に示すように、Ｓ２１の送信機１０の呼出操作からＳ２５のサブ表示機２１の同期画面表示までは、図５のＳ１〜Ｓ５と同じである。
【００９４】
この状態で、店舗スタッフがサブ表示機２１、例えば携帯端末２４の番号配列窓３６ｂの最も古い呼出番号を確認してその場所へ出向く場合、その呼出番号をＳ２６でタップすると、このタップによる呼出番号対応操作の受付けを検出してＳ２７で、番号配列窓３６ｂのタップした呼出番号を消去して左詰めシフトすると共に、対応端末配列窓３８ｂの自己の割当窓に、消去した呼出番号を表示して対応中にあることを示し、更に、Ｓ２８で無線ＬＡＮ通信プロトコルに従って呼出番号を含む消去信号をメイン表示機２０に無線送信する。
【００９５】
サブ表示機２１からの消去信号を受信したメイン表示機２０は、Ｓ２９で番号配列窓３６の該当する呼出番号を消去して左詰めシフトすると共に、対応端末配列窓３８のサブ表示機２１の割当窓に、消去した呼出番号を表示して対応中にあることを表示し、更に、Ｓ３０で呼出番号の消去指示として、ＴＣＰ／ＩＰに従って呼出番号を含む消去信号を中継器１６に送信し、中継器１６で特定小電力通信プロトコルの消去信号に変換して無線送信する。
【００９６】
この消去信号をＳ３１で受信表示機１２が受信すると、番号表示器２６の該当する呼出番号を消去して左詰めにシフト表示する。またメイン表示機１０はＳ３２で表示内容を変更した画像信号をサブ表示機２１に送信して画像内容を同期させる同期通信を行い、この画像信号をサブ表示機２１はＳ３３で受信して同期画面表示を行う。
【００９７】
（消去機の呼出対応動作）
図７は送信機の呼出操作による呼出と消去機の消去操作による呼出対応の処理動作を示したタイムチャートであり、図１乃至図４と共に説明する。
【００９８】
図７に示すように、Ｓ４１の送信機１０の呼出操作からＳ４５のサブ表示機２１の同期画面表示までは、図５のＳ１〜Ｓ５と同じである。
【００９９】
この状態で、店舗スタッフが受信表示機１２の番号表示器２６の最も古い呼出番号を確認してその場所へ出向く場合、Ｓ４６で消去機１４に表示している確認した呼出番号に対応した消去スイッチ３０を操作することで、特定小電力通信プロトコルに従って消去信号を無線送信する。
【０１００】
消去機１４からの消去信号を受信表示機１２が受信とすると、Ｓ４７で番号表示器２６の該当する呼出番号を消去して左詰めにシフト表示する。
【０１０１】
また、消去機１４からの消去信号は中継器１６でＴＣＰ／ＩＰの消去信号に変換してメイン表示機２０に送信され、これを受信したメイン表示機２０はＳ４８で番号配列窓３６の該当する呼出番号を消去して左詰めシフトし、更に、Ｓ４９で表示内容を変更した画像信号をサブ表示機２１に送信して画像内容を同期させる同期通信を行い、この画像信号をサブ表示機２１はＳ５０で受信して同期画面表示を行う。
【０１０２】
［呼出番号に対応した名称表示］
図８は呼出名称を表示するメイン表示機の呼出画面を示した説明図である。図８に示すように、メイン表示機２０のディスプレイ３４の表示画面に表示した番号配列窓３６の窓１０２ａ〜１０２ｅには、図３に示した呼出番号の数値に代えて、呼出番号に対応して事前設定した呼出場所を示す呼出名称を表示している。
【０１０３】
この場合、窓１０２ａ，１０２ｄについては呼出名称「テーブル」と呼出番号「１１」、「１８」を組み合わせて表示し、窓１０２Ｃについても呼出名称「カウンタ」と呼出番号「２９」を組み合わせて表示することで呼出場所を特定可能としている。一方、窓１０２ｂ、１０２ｅについては個室であることから呼出名称として「富士」、「菊」を表示し、呼出番号は表示していない。このように呼出名称のみとするか、呼出名称と呼出番号を組み合わせて表示するかは、必要に応じて適宜に選択することができる。
【０１０４】
また対応端末配列窓３８についても、番号配列窓３６のタップによる消去に伴う表示により、窓１０４ｂは個室であることから呼出名称「ＶＩＰ」を表示し、窓１０４ｄ，１０４ｅについては呼出名称と呼出番号を組み合わせて「カウンタ  ６」、「カウンタ  ２」の表示としている。
【０１０５】
［本発明の変形例］
（利用状況に対応した遠隔呼出）
上記の実施形態は、レストランや喫茶店などの店舗を対象とした遠隔呼出システムを例にとるものであったが、これ以外に、工場生産ラインでの部品供給、工場生産ラインのトラブル呼出し、倉庫の棚や商品陳列棚などでの在庫切れ表示、携帯電話の話し中などの取り込み中の状況、スーパーや飲食店などでの個室の準備状況、病院や介護施設などでの看護師や介護師の呼出しといった様々な利用対象の状況の遠隔呼出システムに適用できる。
【０１０６】
（ＨＴＴＰ）
上記の実施携帯では中継器１６とメイン表示機２０の通信にＴＣＰ／ＩＰを使用しているが、これに代えてハイパーテキスト・トランスファー・プロトコル（以下「ＨＴＴＰ」という）を使用しても良い。
【０１０７】
この場合、中継器１６は、送信機１０が送信した特定小電力通信プロトコルの呼出信号を受信し、これをリクエスト−レスポンス型のプロトコルとして知られたＨＴＴＰの呼出信号に変換してメイン表示機２０に送信する。また、中継器１６は、消去機１４が送信した特定小電力通信プロトコルの消去信号を受信し、これをＨＴＴＰの消去信号に変換してメイン表示機２０に送信する。更に、中継器１６はメイン表示機２０が送信したＨＴＴＰの消去信号を受信し、これを特定小電力通信プロトコルの消去信号に変換して無線送信する。
【０１０８】
（その他）
また、本発明は上記の実施形態に限定されず、その目的と利点を損なうことのない適宜の変形を含み、更に上記の実施形態に示した数値による限定は受けない。
【符号の説明】
【０１０９】
１０：送信機
１２：受信表示機
１４：消去機
１５：呼出スイッチ
１６：中継器
１８：伝送路
２０：メイン表示機
２１：サブ表示機
２２：タブレット
２４：携帯電話機
２５：アクセスポイント
２６，３２：番号表示器
２８：残数表示器
３０：消去スイッチ
３４，４０，４２：ディスプレイ
３６，３６ａ，３６ｂ：番号配列窓
３８，３８ａ，３８ｂ：対応端末配列窓
【図１】
0006358685.tif 000002
【図２】
0006358685.tif 000003
【図３】
0006358685.tif 000004
【図４】
0006358685.tif 000005
【図５】
0006358685.tif 000006
【図６】
0006358685.tif 000007
【図７】
0006358685.tif 000008
【図８】
0006358685.tif 000009